(57)【要約】【課題】遊技機における演出手段の設置領域を拡大して迫力ある演出が行なえる遊技機を提供する。【解決手段】複層ガラス１５の後方に設けられた固定部に遊技者が知覚可能な装飾体１７が複層ガラス１５の前方に設けられた前面枠カバー１６に覆われた演出空間部２１に臨んで組み付けられている。【選択図】図４
2010000145.tif 000002
【特許請求の範囲】
【請求項１】
遊技盤が取り付けられた内枠が外枠に対して開閉可能に設けられ、その遊技盤の前面に形成された遊技領域を前方から視認可能とする透明板が配置された前面枠が内枠に対して開閉可能に設けられた遊技機であって、
前記前面枠が前記内枠に対して閉じた状態において、前記透明板の後方に設けられた固定部に遊技者が知覚可能な演出手段が前記透明板前方に設けられた前面枠カバーに覆われた演出空間部に臨んで組み付けられていることを特徴とする遊技機。
【請求項２】
前記演出手段は、前記固定部を有する後方空間部から前方の演出空間部にわたってせり出して形成される装飾体を備えていることを特徴とする請求項１記載の遊技機。
【請求項３】
前記演出手段は、前記固定部を有する後方空間部と前記演出空間部との間を移動する可動体を備えていることを特徴とする請求項１又は２記載の遊技機。
【請求項４】
前記演出手段は前記遊技盤上に設けられ、当該演出手段の一部が前記遊技領域を区画する遊技盤レールの一部を形成していることを特徴とする請求項１乃至３のいずれか１項に記載の遊技機。
【発明の詳細な説明】
【技術分野】
【０００１】
本発明は遊技機に関する。
【背景技術】
【０００２】
パチンコ機などの遊技機には、外枠に対して開閉可能な内枠に遊技盤が着脱可能に組み付けられ、該内枠には前面枠が開閉可能に設けられている。遊技盤には遊技領域を形成する遊技盤レール（内外レール）が設けられており、その遊技領域には図柄表示装置（液晶表示装置）、遊技釘、入賞口、大入賞口、電動チューリップなどの盤面部品やアウト口などが設けられている。
【０００３】
近年、パチンコ機の図柄表示装置の大画面化にともなってセンター役物が大型化する傾向にある。センター役物が大型化すると遊技球が流下する遊技領域が狭くなるため遊技領域を拡大したいというニーズがある。遊技盤を上下方向に大型化すると遊技領域を覆う前面枠の透明板（複層ガラス、透明樹脂板等）の遊技機前面に占める占有面積も上下方向に拡大する。このため、透明板の窓枠周辺に設けられる装飾領域が縮小してしまいトップランプやスピーカーなどの装飾部材のレイアウトの自由度が制約を受けてしまう。また、パチンコ機の奥行き方向においても透明板と遊技盤や内枠などが対向配置されているため、装飾領域が確保し難い。
【０００４】
尚、パチンコ機の遊技盤に液晶表示装置のほかに遊技領域外に光透過性部材を有する表示領域が設けられ、画像データプロセッサの記録領域に記憶された記憶画像を遊技状態に応じて表示することで演出効果を高める遊技機も提案されている（特許文献１）。
【特許文献１】特開２００５−７３９３１号公報
【発明の開示】
【発明が解決しようとする課題】
【０００５】
パチンコ機の遊技領域が拡大されても遊技盤と透明板との距離は所定範囲（例えば１３ｍｍ〜２５ｍｍ）内との規則に定められている制約を受けるため、例えば前面枠を構成する透明板（複層ガラス、透明樹脂板等）の窓枠上方中央に比較的高さの低い装飾体を配置し、左右両隅にスピーカーや装飾部材を配置するぐらいの演出しか行なえないのが現状である。また、上記装飾体は前面枠に取り付けられるため、パチンコ機の前後方向に小さなサイズのものしか設置することはできない。
そこで、上述したようにパチンコ機の遊技領域の拡大に伴い、電飾ギミックや大口径でエンクロージャーを備えた高出力スピーカーなどの占有空間を要する演出装置を設けて迫力ある演出を行いたいというニーズがある。
【０００６】
本発明の目的は、上記従来技術の課題を解決し、遊技機における演出手段の設置領域を拡大して迫力ある演出が行なえる遊技機を提供することにある。
【課題を解決するための手段】
【０００７】
本発明は上記目的を達成するため、次の構成を備えることを特徴とする。
遊技盤が取り付けられた内枠が外枠に対して開閉可能に設けられ、その遊技盤の前面に形成された遊技領域を前方から視認可能とする透明板が配置された前面枠が内枠に対して開閉可能に設けられた遊技機であって、前記前面枠が前記内枠に対して閉じた状態において、前記透明板の後方に設けられた固定部に遊技者が知覚可能な演出手段が前記透明板前方に設けられた前面枠カバーに覆われた演出空間部に臨んで組み付けられていることを特徴とする。
ここで、固定部とは透明板より後方空間部で演出手段が組み付けられる部位をいい、例えば遊技盤、センター役物、図柄表示装置を固定する盤裏ユニット、内枠などがある。
また、知覚可能とは、遊技者の五感の作用により認識できることをいうが、特に視覚、聴覚、触覚を通じて認識できるものを言う。
【０００８】
また、前記演出手段は、前記固定部を有する後方空間部から前方の演出空間部にわたってせり出して形成される装飾体を備えていることを特徴とする。
【０００９】
また、前記演出手段は、前記固定部を有する後方空間部と前記演出空間部との間を移動する可動体を備えていることを特徴とする。
【００１０】
また、前記演出手段は前記遊技盤上に設けられ、当該演出手段の一部が前記遊技領域を区画する遊技盤レールの一部を形成していることを特徴とする。
【００１１】
また、前記演出手段は前記遊技盤上で遊技領域に入り込んで遊技球の通路を形成する構成としてもよい。
【発明の効果】
【００１２】
上述した遊技機を用いれば、透明板の後方に設けられた固定部に遊技者が知覚可能な演出手段が透明板前方に設けられた前面枠カバーに覆われた演出空間部に臨んで組み付けられているので、遊技領域が拡大されても遊技盤と透明板との距離の制約を受けずに透明板後方の奥行きスペースを利用して演出手段を設けることができ、立体感を伴った迫力ある演出が行なえる。
【００１３】
また、演出手段は、後方空間部から前方の前記演出空間部にわたってせり出して形成される装飾体を備えているので、装飾体の占有できる空間部が透明板の前後に渡って拡大することができ、大型の装飾体を設けることで演出効果を高めることができる。
【００１４】
また、演出手段が遊技盤に設けられていると、前面枠はそのままで遊技盤を交換するだけで機種変更を容易に行なうことができる。ここで遊技盤に設けられているとは、例えば遊技盤前面、遊技盤背面など遊技盤に直接取り付けられている場合のみならず、遊技盤に設けられるセンター役物、図柄表示装置（液晶表示装置）を固定する液晶ユニット（盤裏ユニット）などを介して間接的に取り付けられている場合を含むものとする。
更には、前面枠に演出手段を設ける必要がなくなり前面枠が軽量化するので、前面枠の組み付け作業を容易に行なうことが可能となり、強固なヒンジや補強用の板金などの部品も減らしても枠体の歪みが生じ難く前面枠の開閉動作も行ない易くなる。
【００１５】
また、演出手段は、固定部を有する後方空間部と前方の演出空間部との間を移動する可動体を備えていると、装飾態様が変化に富んだ多彩な演出を行なうことができる。
【００１６】
また、装飾体は遊技盤上に設けられ、当該装飾体の一部が遊技領域を区画する遊技盤レールの一部を形成していると、部品点数を削減するとともに遊技盤上に装飾領域を拡大して装飾効果を高めることができる。
【００１７】
また、装飾体は前記遊技盤上で遊技領域に入り込んで遊技球の通路を形成していると、遊技球の流下方向を変化させることができるとともに、より大きな装飾体を組み付けることができるので演出効果が増大する。更には、遊技球の通過にともなった演出、例えば装飾体の装飾形態を変化させたり或いは装飾体の全部又は一部を移動させたりすることで、遊技者の興趣を引く演出をすることができる。
【発明を実施するための最良の形態】
【００１８】
以下、本発明の実施形態について図面を参照しながら具体的に説明する。
図１及び図２を参照して本実施形態に係る遊技機の概略構成について説明する。本実施例としては、遊技機の一例としてパチンコ機について説明するものとする。
先ずパチンコ機１の概略構成について説明すると、パチンコ機１の外形をなす外枠２に対してヒンジ４により内枠３（図２参照）が開閉可能に取り付けられ、該内枠３に対して前面を覆うように前面枠５が開閉可能に取り付けられている。
【００１９】
図２において、内枠３の前面側には遊技盤６が設けられると共に該遊技盤６の下方には遊技領域Ｙ（図１参照）へ向かって遊技球を発射する発射装置７が組み付けられている。また、図１において、遊技盤６の中央部には、図柄表示装置（液晶表示装置）８が設けられている。その周囲にはセンター役物９が設けられている。
【００２０】
図２において、遊技盤６はその背面に固定された盤裏カバー１０により背面側周縁部を支持されている。盤裏カバー１０は内枠３の背面側開口部を覆うように組み付けられている。内枠３の背面側には、遊技球を貯留する球タンク１１や払出装置（図示せず）などの制御基板が収納された基板ケース１２などが設けられている。球タンク１１にはパチンコ機１が配置されたホールの島から遊技球が供給される。
【００２１】
また、図１において、前面枠５の下方には貸球や賞球等の遊技球を一時的に貯留し、該遊技球を発射装置７（図２参照）へ誘導する球受け皿１３が一体に組み付けられている。球受け皿１３の右側には、発射装置７（図２参照）によって遊技領域Ｙへ発射される遊技球の発射力を調節するための発射ハンドル１４が設けられている。
【００２２】
図２において、前面枠５の中央部には、遊技領域Ｙ（図１参照）を覆う複層ガラス（透明板）１５が設けられている。複層ガラス１５は、例えば複数（２枚）のガラス板が所定間隔で平行に支持された透明板が用いられる。複層ガラス１５の上方中央には光透過性の前面枠カバー１６が当該複層ガラス１５より前方にせり出して設けられており、その後方には後述する装飾体１７（演出手段）が各々設けられている。また、図１において、装飾体１７の左右両側には、発光体やスピーカーなどの装飾部１８が設けられている。前面枠カバー１６としては、アクリル樹脂材やポリカーボネイト樹脂材などの光透過性の樹脂材が好適に用いられる。
【００２３】
図２において、複層ガラス１５より後方に設けられた内枠３及び外枠２からなるパチンコ機本体１９内の後方空間部２０に、遊技者が前面枠カバー１６を通じて知覚することが可能な装飾体（例えばパトランプ）１７が例えば遊技盤６（固定部）に組み付けられている。具体的には、図４において、遊技盤６は前面枠カバー１６に対応して遊技領域Ｙ（図１参照）上方に延設されている。この延設された遊技盤６の前面側に装飾体１７が設けられている。また、内枠３の開口部内壁に設けられた板金１６ａに前面枠ベース１６ｂが組み付けられており、これらを覆うように前面枠カバー１６が組み付けられている。前面枠カバー１６により覆われた演出空間部２１が後方空間部２０と連続して形成されている。複層ガラス１５より後方の後方空間部２０（本実施例では遊技盤６）に設けられた装飾体１７が、板金１６ａ及び前面枠ベース１６ｂの貫通孔１６ｃを通じて前方の演出空間部２１へせり出して設けられている。
【００２４】
このように遊技盤６の一部に装飾体１７が組み付けられていると、遊技盤６を交換するだけで、前面枠５を交換せずに機種変更が行なえるようになるため、パチンコ機本体１９を共用したままその機種ごとの演出を行なうことができる。更には図３において、前面枠５に強固な板金５ａや前面枠係合金具５ｂは不要となり、前面枠５の軽量化を図ることもできる。尚、前面枠５の開放端に設けられた前面枠係合金具５ｂは内枠３に設けられた施錠装置３ａと係合可能に設けられている。また、内枠３に設けられた施錠装置３ａは、外枠２に設けられた内枠係合金具２ａと係合可能に設けられている。
【００２５】
また、遊技盤６上に設けられる装飾体１７の一部（壁面部１７ａ）が遊技領域Ｙ（図１参照）を区画する遊技盤レール６ａの一部を形成していてもよい（図４二点鎖線参照）。これにより、装飾領域を遊技盤６上に拡大して装飾効果を高めることができる。
【００２６】
また、装飾体１７の一部が遊技盤６上で遊技領域Ｙ（図１参照）に入り込んで遊技球の球通路１７ｂ（図４破線部参照）が形成されていてもよい。例えば、遊技盤６上で遊技領域Ｙ（図１参照）を形成する装飾体１７に球通路（トンネル通路）１７ｂが設けられ、該球通路に検知スイッチ（図示せず）を配置して遊技球が通過するたびに装飾体１７を点滅させたり、装飾体１７の全部又は一部を移動（回転等）させたりしてもよい。これにより、遊技動作に伴って装飾形態が変化するため、遊技者の興趣を引く演出を行なうことができる。
【００２７】
図５において、パチンコ機本体１９（図２参照）に形成される遊技領域Ｙ（図１参照）の下端位置Ａ（具体的には遊技盤６の下端位置）は球受け皿１３の上端位置Ｂよりも下方に位置するように組み付けられている。また、遊技領域Ｙ（図１参照）を覆う複層ガラス１５の下端位置も球受け皿１３の上端位置Ｂよりも下方に位置するようになっている。また、複層ガラス１５の下端側は球受け皿１３の壁面の一部を形成している。尚、本実施形態の場合、複層ガラス１５と球受け皿１３が前面枠５に一体に組み付けられているので、前面枠５の開閉は支障なく行なえる。
【００２８】
これによって、遊技盤６を下方向に大型化して遊技領域Ｙ（図１参照）の拡大を図ることができるほかに、遊技盤６のサイズを変えずに下方へ位置をずらすことにより遊技盤６の上方に形成される空間部を利用して大型の演出装置を設置することも可能である。また、遊技領域Ｙ（図１参照）を下方に拡大しても或いは遊技盤６の位置を下方に下げても球受け皿１３に貯留できる遊技球の貯留量を減らすことなく貯留量を維持することができる。さらには、球受け皿１３の上端部と複層ガラス１５の下端部に形成される隙間から異物を侵入させることがし難くなるので、防犯性を高めることもできる。加えて、遊技盤６の下端部と球受け皿１３の上端部とをオーバーラップして配置することで、遊技盤レール６ａを発射装置７の近くまで配置できるので、遊技球の遊技領域Ｙ（図１参照）への案内を確実に行なうことができる。
【００２９】
尚、図５において、球受け皿１３に遊技球が供給されると整流通路によって一列に整流されて整流器２２へ誘導され、該整流器２２から１個ずつ発射位置へ誘導される。発射装置７は、ロータリーソレノイド若しくはブラシレスモータなどを駆動源とする打球槌２３を往復動させて遊技球が遊技盤レール６ａに案内されて遊技領域Ｙ（図１参照）に向けて打ち出される。尚、遊技盤６の下端縁にはアウト口２４が設けられており、アウト球通路２５を介して島に回収される。
【００３０】
また、図６において、球受け皿１３には複層ガラス１５を通じて遊技盤６に向けて光照射する発光部２６が設けられていてもよい。発光部２６は、発光基板２６ａに発光素子（ＬＥＤ）２６ｂが実装されている。この場合には、発光部２６によって遊技領域Ｙ（図１参照）に向けて光照射する演出効果に加えて、球受け皿１３に貯留する遊技球に照射光を乱反射して光らせることも可能になるので、遊技者の興趣を引き易く演出効果を高めることができる。尚、上記実施の形態では、複層ガラス１５が球受け皿１３の壁面を形成するとしたが、図６に示す破線のように複層ガラス１５を保護する壁を形成してもよい。さらには、この破線部分を、シートや板などの装飾部材２９を設けて発光部２６により光照射することで一層の演出効果の向上を図ることができる。
【００３１】
次に装飾体１７の他例について図７を参照して説明する。
図７において、遊技盤６の上端中央部は前面枠カバー１６に対向する領域が切欠かれている。即ち、複層ガラス１５の後方の後方空間部２０と複層ガラス１５の前方の演出空間部２１は切欠き部６ｂを通じて連続している（図８参照）。また、遊技盤６の下端部は球受け皿１３の上端位置より下方まで拡張されている。演出手段としての装飾体（可動体）１７は、後方空間部２０と演出空間部２１との間を移動可能に設けられていてもよい。
【００３２】
また、前面枠５は上下一体ではなく、遊技領域Ｙを覆う上前面枠５ａと球受け皿１３の本体が組み付けられる下前面枠５ｂとで分割されている。球受け皿１３の上端部は遊技領域Ｙ（遊技盤６）の下端側とオーバーラップしているが、球受け皿１３の左右両側が分割線１３ａにより上前面枠５ａと下前面枠５ｂとに対応して分割されているので、上前面枠５ａと下前面枠５ｂのいずれかを単独で開閉することができる。この場合、複層ガラス１５が球受け皿１３（貯留部）に入り込む形となるので、通常の開閉動作では、複層ガラス１５が球受け皿１３に干渉するため、前面枠を全開することができなくなり、不正を防止する効果を有する。また、球受け皿１３の分割部若しくは複層ガラス１５側に磁気センサを設け不正開放を検出すると報知するようにするのが好ましい。
尚、球受け皿１３の上端部が遊技領域Ｙ（遊技盤６）の下端より押し下げられるか、球受け皿１３の上端部が折れ曲がるような構造にすることで、上前面枠５ａのみを開放することも可能である。
【００３３】
図８において、固定部としての内枠３の内壁面３ａには駆動部２７が設けられている。駆動部２７には駆動源としては例えばモータ，ソレノイド等が設けられる。駆動部２７に連結する支持アーム２８には装飾体（可動体）１７が設けられている。装飾体１７は図８の後方空間部２０内の基準位置から図９において支持アーム２８上を前方へ移動した演出空間部２１内の可動位置へ移動可能に設けられる。このとき、装飾体１７に内蔵された光源を発光させ効果音を出力することにより、装飾体１７の動きや光や音の変化と共に多彩な演出をすることができる。装飾体１７のみ支持アーム２８上を移動するようにしたが、装飾体１７を載置した支持アーム２８が進退動するようになっていてもよいし、支持アーム２８が駆動部２７を中心に回動（正逆いずれの方向にも回転）可能に設けられていてもよく、あるいは装飾体１７が回動しながら発光するようになっていてもよい。
【００３４】
図１０は、駆動部２７を遊技盤６の背面側に組み付け、該駆動部２７より駆動伝達する垂直支持部材３０が起立形成されている。この垂直支持部材３０の先端側に支持アーム２８が片持ち状に支持されている。支持アーム２８には装飾体（可動体）１７が移動可能に設けられている。装飾体１７は前述したように図８の後方空間部２０内の基準位置から図９において支持アーム２８上を前方へ移動した演出空間部２１内の可動位置へ移動可能に設けられる。
このように、複層ガラス１５の後方、本実施例では遊技盤６の後方の後方空間部２０を利用して演出手段を設けることができるので、大掛かりな演出装置を空いたスペースを利用して組み付けることができる。
【００３５】
尚、装飾体１７は上述した遊技盤６の前面若しくは背面に直接取り付けられている実施形態の他に、遊技盤６に設けられるセンター役物９、図柄表示装置（液晶表示装置）を固定する液晶ユニット（盤裏ユニット）などを介して間接的に取り付けられていてもよい。この場合には、遊技盤６としてアクリル樹脂板などの透明遊技盤を用いてもビス等の固定部材がパチンコ機１前面より隠れるため、大型の装飾体１７を設けたことによる装飾効果が減殺するのを防ぐことができる。
【００３６】
また、上記装飾体１７を移動可能に連繋する駆動部２７は内枠３の内壁面３ａに設けられていたが、遊技盤６に切欠き部６ｂを設けずに当該遊技盤６の前面に駆動部２７と装飾体１７を設けてもよい。
また、可動体である装飾体１７の前後動、回動若しくは発光する動作及びこれらの組み合わせについて例示したが、スピーカーなどの音声出力を伴う演出装置を前後動、回動若しくは発光させるかこれらの動作を組み合わせて設けてもよい。
【００３７】
上述した実施形態では遊技機の一例としてパチンコ機について説明したが、他の遊技機、例えば雀球遊技機やアレンジボール遊技機などに適用してもよい。
【図面の簡単な説明】
【００３８】
【図１】パチンコ機の正面図である。
【図２】パチンコ機の縦断面図である。
【図３】パチンコ機の水平断面図である。
【図４】図２の上端側の部分拡大図である。
【図５】図２の下端側の部分拡大図である。
【図６】他例に係る図５に対応するパチンコ機の下端側の部分拡大図である。
【図７】他例に係るパチンコ機の正面図である。
【図８】図７のパチンコ機の上端側の部分断面拡大図である。
【図９】図８の装飾体が移動した状態の部分断面拡大図である。
【図１０】他例に係るパチンコ機の上端側の部分断面拡大図である。
【符号の説明】
【００３９】
１  パチンコ機
２  外枠
３  内枠（固定部）
３ａ  内壁面
４  ヒンジ
５  前面枠
６  遊技盤（固定部）
６ａ  遊技盤レール
６ｂ  切欠き部
７  発射装置
８  図柄表示装置（固定部）
９  センター役物（固定部）
１０  盤裏カバー（固定部）
１１  球タンク  
１２  基板ケース  
１３  球受け皿  
１３ａ  分割線
１４  発射ハンドル  
１５  複層ガラス（透明板）  
１６  前面枠カバー  
１６ａ  板金
１６ｂ  前面枠ベース
１６ｃ  貫通孔
１７  装飾体（可動体；演出手段）  
１７ａ  壁面部
１７ｂ  球通路
１８  装飾部  
１９  パチンコ機本体  
２０  後方空間部  
２１  演出空間部  
２２  整流器  
２３  打球槌  
２４  アウト口  
２５  アウト球通路  
２６  発光部
２７  駆動部
２８  支持アーム
２９  装飾部材
３０  垂直支持部材
Ｙ  遊技領域
【図１】
2010000145.tif 000003
【図２】
2010000145.tif 000004
【図３】
2010000145.tif 000005
【図４】
2010000145.tif 000006
【図５】
2010000145.tif 000007
【図６】
2010000145.tif 000008
【図７】
2010000145.tif 000009
【図８】
2010000145.tif 000010
【図９】
2010000145.tif 000011
【図１０】
2010000145.tif 000012